(57)【要約】【課題】パチンコ店などの遊技場用に設置可能なタバコの吸殻を含むタバコ吸殻排水の処理装置を提供する。【解決手段】タバコの吸殻を含む排水の処理装置２０は、処理槽２１と、処理槽２１の上部に設けた排水の投入部２２と、投入部２２の下方に設けた網状フィルタ部２３と、網状フィルタ部２３の下方に設けた活性炭層を有する浄化部２４と、網状フィルタ部２３の下方における排水を攪拌する攪拌手段２５と、処理槽２１の底部に設けた排出部２６を備えている。そして投入部２２からタバコの吸殻を含む排水を投入したとき、排水に含まれる固形分が網状フィルタ部２３で分離され、次いで排水が浄化部２４と接触することにより排水中のＣＯＤおよびＢＯＤが低減されるように構成されている。 【選択図】    図１
2008220568.tif 000002
【特許請求の範囲】
【請求項１】
タバコの吸殻を含む排水の処理装置において、処理槽(21) と、処理槽(21) の上部に設けた排水の投入部(22) と、投入部(22) の下方に設けた網状フィルタ部(23) と、網状フィルタ部(23) の下方に設けた活性炭層を有する浄化部(24) と、網状フィルタ部(23) の下方における排水を攪拌する攪拌手段(25) と、処理槽(21) の底部に設けた排出部(26) を備え、投入部(22) からタバコの吸殻を含む排水を投入したとき、排水に含まれる固形分が網状フィルタ部(23) で分離され、次いで排水が浄化部(24) と接触することにより排水中のＣＯＤおよびＢＯＤが低減されるように構成されていることを特徴とするタバコ吸殻排水の処理装置。
【請求項２】
請求項１において、
前記網状フィルタ部(23) は網目の大きい第１フィルタ(28) と、その第１フィルタ(28)より網目の小さい第２フィルタ(29) を所定の間隔で上下２段に配置して構成されることを特徴とするタバコ吸殻排水の処理方法。
【請求項３】
請求項２において、
前記排水の投入部(22) は下方に向かって断面が縮小するテーパ状とされ、その下端部に接して前記第１フィルタ(28) が配置されることを特徴とするタバコ吸殻排水の処理装置。
【請求項４】
請求項１ないし請求項３のいずれかにおいて、
前記攪拌手段(25) は浄化部(24) の周辺部に空気を噴出する空気噴出方式、または処理槽内の排水の一部を循環して浄化部(24) の下方から上方に向けて排水を噴出する排水循環方式で構成されることを特徴とするタバコ吸殻排水の処理装置。
【請求項５】
請求項１ないし請求項４のいずれかにおいて、タバコの吸殻を含む排水は遊技場で回収される排水であることを特徴とするタバコ吸殻排水の処理装置。
【発明の詳細な説明】
【技術分野】
【０００１】
本発明はタバコの吸殻を含む排水の処理装置に関し、特にパチンコ店等の遊技場で回収されるタバコの吸殻を含む排水の処理装置に関する。
【背景技術】
【０００２】
多くのパチンコ店では、多数のパチンコ機やスロット機などの遊技具を島状の設置部に配列し、その設置部の前面下部に細長いカウンターを設け、カウンターに沿って吸殻処理装置が設けられる。吸殻処理装置はカウンター上の遊技具ごとに設けた灰皿と、各灰皿と連通する細長い吸殻搬送部を備えている。タバコの吸殻はスノコ状の灰皿の底から落下孔を通過して吸殻搬送部に落下し、水平方向（横方向）に搬送されて吸殻回収部に回収される。このような吸殻処理装置は例えば特許文献１に記載されている。
【０００３】
図３は吸殻処理装置の１例を示す部分断面図である。吸殻処理装置１はカウンターの下側に沿って設けられた細長い板状のテンプレート２と、テンプレート２の下面に平行して取付けられた細長い樋体３と、テンプレート２と樋体３で囲まれた細長い空間に沿って配置された螺旋状のスクリューを有するスクリュー構造体４を備えている。なおテンプレート２には遊技具５ごとに設けられる灰皿の底部に開口する落下孔６が設けられる。
【０００４】
スクリュー構造体４は軸体７とその周囲にそって連続して設けた螺旋体８を有し、軸体７の一方の端部は継手９を介して駆動モータ１０に連結され、他方の端部は軸受部１１に軸支される。軸受部１１の下方に吸殻回収部１２が配置される。吸殻回収部１２は上方が開放された箱体１３により構成され、箱体１３の両斜面に取手１４が設けられる。そして箱体１３上方に延長する前記樋体３の底部に開口部１５が形成される。
【０００５】
図示しない灰皿からのタバコの吸殻は落下孔６を通して樋体３内に落下し、駆動モータ１０により低速回転する螺旋体８の搬送作用により、図３の左方に搬送され、軸受部１１近傍まで搬送された吸殻は開口部１５から吸殻回収部１２の箱体１３内に落下する。箱体１３内には火の付いた吸殻を消火するため所定レベルまで水が収容されている。そして箱体１３の水中には吸殻が浮遊状態で存在すると共に、吸殻に残留するタバコから溶出したニコチン、ヤニ、タール等が存在する。
【０００６】
吸殻回収部１２に吸殻が許容量まで蓄積されたら、その箱体１３を新しいものと交換するが、古い箱体１３の内容物を一般排水として公共の排水路にそのまま放出すると環境を著しく汚染する。例えば、通常パチンコ店から排出されるタバコの吸殻を含む排水中には、吸殻由来の固形状の浮遊物質が多く存在する上に、測定結果によると、化学的酸素要求量（ＣＯＤ）の数値は１リットル中３６００ｍｇ程度、生物化学的酸素要求量（ＢＯＤ）の数値は１リットル中５１００ｍｇ程度にまで達する。
【０００７】
吸殻を含む排水は環境基準をクリアするレベルまで処理装置で浄化してから公共の排水路に放出する必要がある。排水の処理装置として例えば半導体工場から排出される固形分と有害成分を含む排水を処理する装置が特許文献２に記載されている。特許文献２の処理装置は研磨材等の固形分を除去するセラミックフィルタ槽と、有害物質を除去する活性炭槽を連結して構成される。
【０００８】
【特許文献１】特開平８−１０４３７号公報
【特許文献２】特開２００１−１２１１４４号公報
【発明の開示】
【発明が解決しようとする課題】
【０００９】
しかし一般に工場排水処理用として普及している排水処理装置は複数の槽やポンプを配管で接続して構成されるので装置が大型になり、大きな設置面積を必要とする上に、設置コストも高くなる。また運転やメンテナンスには専門知識を必要とする。そのためパチンコ店などの遊技場用に設置することは難しい。そこで本発明はこのような問題を解決することを課題とし、パチンコ店などの遊技場用に設置可能なタバコの吸殻を含む排水の処理装置を提供することを目的とする。
【課題を解決するための手段】
【００１０】
前記課題を解決する本発明のタバコ吸殻排水の処理装置は、タバコの吸殻を含む排水を処理するものであって、該処理装置は処理槽と、処理槽の上部に設けた排水の投入部と、投入部の下方に設けた網状フィルタ部と、網状フィルタ部の下方に設けた活性炭層を有する浄化部と、網状フィルタ部の下方における排水を攪拌する攪拌手段と、処理槽の底部に設けた排出部を備えている。そして投入部からタバコの吸殻を含む排水を投入したとき、排水に含まれる固形分が網状フィルタ部で分離され、次いで排水が浄化部と接触することにより排水中のＣＯＤおよびＢＯＤが低減されるように構成されていることを特徴とする（請求項１）。
【００１１】
上記排水の処理装置において、前記網状フィルタ部は網目の大きい第１フィルタと、その第１フィルタより網目の小さい第２フィルタを所定の間隔で上下２段に配置して構成することができる（請求項２）。
【００１２】
上記排水の処理装置において、前記排水の投入部は下方に向かって断面が縮小するテーパ状とされ、その下端部に接して前記第１フィルタを配置することができる（請求項３）。
【００１３】
上記いずれかの排水の処理装置において、前記攪拌手段は浄化部の周辺に空気を噴出する空気噴出方式、または処理槽内の排水の一部を循環して浄化部の下方から上方に向けて排水を噴出する排水噴出方式で構成することができる（請求項４）。
【００１４】
上記いずれかの排水の処理装置において、タバコの吸殻を含む排水は遊技場で回収される排水とすることができる（請求項５）。
【発明の効果】
【００１５】
本発明のタバコ吸殻排水の処理装置は、請求項１に記載のように、網状フィルタ部と、活性炭層を有する浄化部と、網状フィルタ部の下方における排水を攪拌する攪拌手段とを同じ処理槽内に設けているので、処理装置がコンパクトになり全体構造も簡単になる。そのため設置コストや運転コストが低減され保守も容易になるので、パチンコ店などの遊技場内にも好適に設置できる。
また投入部側に設けた網状フィルタで吸殻を除去してから活性炭層に排水を流入させるので、活性炭層への固形分付着による排水浄化能力の低下を防止できる。さらに、網状フィルタ部の下方における排水を攪拌する攪拌手段を設けているので、浄化部の活性炭と排水の接触対流が多くなって排水中のＣＯＤおよびＢＯＤの低減作用が促進される。
【００１６】
上記タバコ吸殻排水の処理装置において、請求項２に記載のように、前記網状フィルタ部は網目の大きい第１フィルタと、その第１フィルタより網目の小さい第２フィルタを所定の間隔で上下２段に配置して構成することができる。このように構成すると、容積の大きい固形物が網目の大きい第１フィルタで捕捉され、そこを通過した容積の小さい固形物を第１フィルタより網目の小さい第２フィルタで捕捉される。
タバコの吸殻にはフィルタ部と吸い残したタバコの葉が含まれるので、例えば第１フィルタの網目のメッシュを、タバコのフィルタ部が補足されるがタバコの葉は通過するような範囲に選択し、第２フィルタの網目のメッシュをタバコの葉が捕捉される範囲に選択すれば、第１フィルタで外形の大きいフィルタ部を捕捉でき、第２フィルタで微細に分散して浮遊するタバコの葉を捕捉できるので、細かい網目で大きい固形物と小さい固形物を同時に捕捉する場合と比較すると、網状フィルタ部の清掃間隔を延ばすことができる。
【００１７】
上記タバコ吸殻排水の処理装置において、請求項３に記載のように、前記排水の投入部は下方に向かってその断面が縮小するテーパ状とされ、その下端部に接して前記第１フィルタを配置することができる。このように構成すると、固形物を含む排水の投入操作が容易になる。
【００１８】
上記いずれかのタバコ吸殻排水の処理装置において、請求項４に記載のように、前記攪拌手段は浄化部の周辺に空気を噴出する空気噴出方式、または処理槽内の排水の一部を循環して浄化部の下方から上方に向けて排水を噴出する排水噴方式部のいずれかで構成することができる。このように構成すると、空気または排水の攪拌作用により網状フィルタ部の下方における排水が攪拌されるので、処理槽内に攪拌翼などの機械的な装置を設置するスペースが不要になり、処理槽の単位内容積当たりの排水処理能力を高めることができ、同じ処理能力であれば装置寸法および設置面積を小さくできる。また活性炭層付近に障害物が存在しないので、その交換操作が容易になる。
【発明を実施するための最良の形態】
【００１９】
次に図面に基づいて本発明の最良の実施形態を説明する。図１は本発明に係るタバコ吸殻排水の処理装置の実施形態を示す縦断面図であり、図２は図１における排水の攪拌作用を説明する一部破断斜視図である。
処理装置２０は上方が開放された箱状の処理槽２１と、処理槽２１の上部に設けた排水の投入部２２と、投入部２２の下方に設けた網状フィルタ部２３と、網状フィルタ部２３の下方に設けた活性炭層を有する浄化部２４と、網状フィルタ部の下方における排水を攪拌する攪拌手段２５と、処理槽２１の底部に設けた排出部２６を備えている。本実施形態では処理槽２１を可搬式とするため、その底部にキャスタからなる複数の車輪部２１ａが取り付けられている。
【００２０】
網状フィルタ部２３はその上端部が前記投入部２２の下端に連結もしくは支持されている横断面が円形の筒体２７と、筒体２７の上端に着脱可能に設けた円形で網状の第１フィルタ２８と、筒体２７の下端に着脱可能に設けた円形で網状の第２フィルタ２９を備えている。第１フィルタ２８の網目は第２フィルタ２９の網目より大きくなっている。
前記のように、タバコの吸殻にはフィルタ部と吸い残したタバコの葉が含まれるので、第１フィルタ２８の網目のメッシュを、フィルタ部は補足されるがタバコの葉は通過するような範囲に選択し、第２フィルタ２９の網目のメッシュをタバコの葉を捕捉できる範囲に選択することが望ましい。なおメッシュ範囲は実験等により選択することができる。
【００２１】
このように構成すると、第１フィルタ２８でタバコのフィルタ部だけを捕捉し、第２フィルタ２９で残りの微細なタバコの葉を捕捉するので、１段式フィルタ構成を採用した場合より、網目の目詰まりが抑制されるので、清掃間隔も延ばすことができる。
【００２２】
第１フィルタ２８と第２フィルタ２９を着脱可能に設けるには、例えば図１に示す如く筒体２７の上端部に外フランジ、下端部に内フランジを形成し、それらフランジに上方から第１フィルタ２８と第２フィルタ２９をそれぞれ配置すればよい。このように第１フィルタ２８と第２フィルタ２９を着脱可能に設けることにより、それらを投入部２２から上方に引き上げて堆積した固形物を容易に除去（清掃）できる。なお、筒体２７を含み網状フィルタ部全体を着脱自在にすることができる。
【００２３】
たばこを含む排水の投入操作を容易にするため、網状フィルタ２３の投入部２２に下方に向かって断面が縮小するテーパ状に形成されている。図１の例では横断面が方形な処理槽２１の上端部に枠部３０が形成され、その枠部３０の縁から４辺の斜面３１が延長され、それら斜面３１の下端は断面が縮小した円形とされ、該円形部分に第１フィルタ２８が着脱自在に配置される。
【００２４】
網状フィルタ部２３より下方に配置される活性炭層を有する浄化部２４は、活性炭の吸着作用により排水中のＣＯＤおよびＢＯＤを低減するものである。椰子殻等から作られる粒状もしくは固形状の活性炭は、網または布で作られた平坦な袋体などに収容されて全体が図示のように層状とされる。そしてこの活性炭層は図示のように処理槽２１内の下方において内側に突出した支持部２１ｂに端部を支持させることにより、処理槽２１内に着脱可能に配置される。活性炭層をこのように着脱可能に配置することにより、活性炭の交換作業を容易に行うことができる。
【００２５】
図１および図２に示すように、本実施形態における攪拌手段２５は処理槽２１内の排水に空気を噴出して攪拌する方式を採用している。この方式の攪拌手段２５は空気ポンプ３２と、空気ポンプ３２から処理槽２１内に延長する配管３３を備えている。処理槽２１の上方からその内部に挿入した配管３３は、図示のように一旦底部まで下降してから浄化部２４の活性炭層の中心部まで水平方向に延長し、そこから活性炭層を貫通して第２フィルタ２９の下方まで延長される。なお配管３３の先端部は閉鎖されている。
そして図２に示すように、配管３３の水平方向への延長部から先端部に沿って多数の小さい空気孔３４が均一に分散した状態で形成されており、それら空気孔３４から細かい泡状の空気が噴出することにより排水が効率よく攪拌される。それと共に、対流が形成され、処理液が処理槽内を循環する。この噴出空気によりゆっくりとした攪拌が行われ、排水と活性炭との接触が積極的に行われ、活性炭の表面からの比較的弱い引力により排水中のニコチンやタール成分、その他が多孔質の活性炭に吸着、吸引される。従って、上記の対流が比較的ゆっくり行われるように、空気の噴出を行うことが好ましい。対流が速いと、ニコチン等が活性炭へ吸着することを阻害するおそれがあるからである。
【００２６】
前記に代えて、攪拌手段２５は処理槽２１内の排水の一部を循環装置で循環して浄化部の下方から上方に向けて噴出して攪拌する方式を採用することもできる。その場合は空気ポンプ３２の代わりに水ポンプを設け、処理槽２１における浄化部２４の上方の排水を水ポンプに吸引して浄化部の下方に噴出することにより、排水を循環しながら攪拌する。この場合にも、対流が比較的ゆっくり行われるように、水ポンプの駆動を行うことが好ましい。
【００２７】
排出部２６は浄化された排水を外部に排出するものであり、テーパ状に形成された処理槽２１の底部中央部分に接続された排出管３５と、排出管３５に設けた排水弁３６を備えている。
【００２８】
次に前記処理装置１によりタバコの吸殻を含む排水の処理方法を説明する。最初にバッチ方式で処理する方法について説明すると、先ず図３に示すような箱体１３の吸殻を含む排水を投入部２２から投入する。例えばパチンコ店では多数の遊技部を設置する島状の設置部が複数設定され、各設置部からタバコの吸殻を含む排水を回収した箱体１３が多数回収されるので、それらの排水を順次処理槽２１に投入する。
【００２９】
処理槽２１内に投入された排水は網状フィルタ部２３でタバコのフィルタ部やタバコの葉などの固形物が分離され、ニコチンやタールで汚染された排水のみが下方に落下する。複数の箱体１３からの排水を投入することにより処理槽２１内に所定の排水が溜まったとき、攪拌手段２５を運転して処理槽２１内の排水を攪拌する。攪拌により活性炭層と排水の接触状態がよくなり、活性炭によるＣＯＤやＢＯＤの低減作用が促進される。攪拌を続けて排水のＣＯＤやＢＯＤの値が環境基準を満たすレベルまで低減したら、攪拌を停止し、排水弁３６を開けて浄化された排水を外部に排出することにより、単位バッチ処理が終了する。
【００３０】
処理装置２０をある程度連続的に運転する場合は、投入部２２から随時排水を投入しながら攪拌手段２５の運転を継続する。そして排水のＣＯＤやＢＯＤの値が環境基準を満たすレベルになった以降、処理槽２１内の液位が大きく低下しない範囲に排水弁３６を調整して浄化された排水を継続的に外部に排出する。
【産業上の利用可能性】
【００３１】
本発明のタバコ吸殻排水の処理装置はパチンコ店などの遊技場におけるタバコの吸殻を含む排水を処理する装置として好適に利用できる。
【図面の簡単な説明】
【００３２】
【図１】本発明に係るタバコ吸殻排水の処理装置の実施形態を示す一部破断斜視図。
【図２】図１における排水の攪拌作用を説明する一部破断斜視図。
【図３】吸殻処理装置の１例を示す部分断面図。
【符号の説明】
【００３３】
１  吸殻処理装置
２  テンプレート
３  樋体
４  スクリュー構造体
５  遊技具
６  落下孔
７  軸体
８  螺旋体
９  継手
１０  駆動モータ
１１  軸受部
１２  吸殻回収部
１３  箱体
１４  取手
１５  開口部
【００３４】
２０  処理装置
２１  処理槽
２１ａ  車輪部
２１ｂ  支持部
２２  投入部
２３  網状フィルタ部
２４  浄化部
２５  攪拌手段
２６  排出部
２７  筒体
２８  第１フィルタ
２９  第２フィルタ
３０  枠部
３１  斜面
３２  空気ポンプ
３３  配管
３４  空気孔
３５  排出管
３６  排水弁
【図１】
2008220568.tif 000003
【図２】
2008220568.tif 000004
【図３】
2008220568.tif 000005